(57)【特許請求の範囲】
【請求項１】
本体ケースと、
前記本体ケースの上部に配置され、外部から供給される電力が蓄積される蓄電池と、
前記本体ケースの内部に配置され、前記蓄電池と離隔された前記本体ケースの下部を介して注入された水を、前記蓄電池から供給された電力で加熱してスチームを発生させて供給するスチーム発生部と、
前記本体ケースの下部に配置され、前記スチーム発生部で発生したスチームを下方に噴射させてテーブル面を洗浄する噴射洗浄部とを含む構成において、
前記スチーム発生部は、
下部が開放されたスチーム発生空間を有するスチーム発生本体と、
前記スチーム発生本体の上部に配置され、前記蓄電池から供給された電力で熱を発生させて前記スチーム発生本体の内部にスチームを発生させる発熱体と、
前記スチーム発生本体の上部に配置され、前記スチーム発生空間に連通して前記スチーム発生空間で発生したスチームを前記噴射洗浄部に供給するスチームバルブと、
前記スチーム発生本体の下部に結合され下部が開放された前記スチーム発生空間を密閉させ、中央に水が注入される水注入孔を有するように突出した水注入体が備えられ、前記水注入孔の内側に前記噴射洗浄部が締結される注入締結部が形成され、前記スチームバルブから前記スチーム発生本体の一側を介して注入されるスチームが前記水注入孔に供給されるように内部に前記水注入孔と連通するスチーム注入流路が形成されたスチーム注入体が備えられたスチーム密閉本体と、
前記スチーム密閉本体の一側に配置され、一端はスチーム供給管を介して前記スチームバルブと連結され、他端は前記スチーム注入流路と連結されて前記スチームバルブから注入されたスチームを前記噴射洗浄部に供給するスチーム連結体とを含む
ことを特徴とするテーブル洗浄器。
【請求項２】
前記スチーム発生部は、
前記スチーム発生本体の外周に複数位置にそれぞれ突出配置され、内部に通孔形態の発生締結孔を有する発生締結突起と、
前記スチーム密閉本体の複数位置に上方に突出され、前記発生締結突起と締結される位置に互いに接触されるように突出設置された密閉締結突起と、
前記発生締結孔に挿入されて前記発生締結突起と前記密閉締結突起を締結して前記スチーム発生本体と前記スチーム密閉本体を結合させる密閉締結体とを含む
請求項１に記載のテーブル洗浄器。
【請求項３】
前記スチーム発生部は、
前記スチーム発生本体の下部内側面には前記スチーム密閉本体が締結される発生締結部が形成され、前記スチーム密閉本体の外周には前記発生締結部と締結される密閉締結部が形成されて前記スチーム発生本体と前記スチーム密閉本体を結合させる
請求項１に記載のテーブル洗浄器。
【請求項４】
前記噴射洗浄部は、
前記スチーム発生部の下部に配置され、中央に水が注入され外側面に前記スチーム発生部と締結される噴射締結部が形成され、前記スチーム発生部と連結される側面から貫通されて下方にスチームを供給する噴射流路が形成された噴射本体、前記噴射本体の下部に配置され、中央に前記噴射流路と連通するように貫通されてスチームが噴射される噴射孔が形成され、下部面に洗浄溝が形成された洗浄本体と、
前記洗浄本体の下部面に配置され、前記洗浄溝に挿入されて前記テーブル面と接触する洗浄体とを含み、
前記噴射本体は、前記スチーム発生部との締結が解除されると前記本体ケースから分離されて前記スチーム発生部に水を注入し、注入を終えた後、前記噴射締結部で前記スチーム発生部に締結した状態で前記スチーム発生部で発生したスチームが前記噴射流路を介して前記噴射孔に噴射させることができる
請求項１に記載のテーブル洗浄器。
【請求項５】
前記スチーム密閉本体と前記噴射本体は一体をなす
請求項４に記載のテーブル洗浄器。
【請求項６】
前記本体ケースの下部が載置されるか、前記蓄電池が結合されて充電されるスタンド充電部を備える
請求項１に記載のテーブル洗浄器。
【請求項７】
前記蓄電池の上部中央には、電力を供給するように前記スタンド充電部が挿入連結される充電接続溝が形成され、
前記スタンド充電部は、
前記本体ケースの一側に配置され、内部に前記本体ケースが載置されるスタンド空間が形成され、前記スタンド空間の上方に前記噴射洗浄部が掛止される掛止顎部が形成されたスタンド本体と、
前記スタンド本体の内部中央に上方に突出され、前記スタンド空間の中央に上方に位置して前記本体ケースを前記蓄電池が下方を向くように逆さにした状態で前記充電接続溝に挿入されて充電するように突出された充電突起と、
前記スタンド本体の一側に配置され、外部操作によって前記充電突起に電力の供給を制御するようにオンオフされる電力供給スイッチとを含み、
前記スタンド本体は前記本体ケースの使用中の載置時に前記噴射洗浄部が前記掛止顎部に掛止された状態を維持し、充電時には前記本体ケースを逆さにして前記スタンド空間に挿入して前記蓄電池が前記充電突起に挿入支持されて充電され得る
請求項６に記載のテーブル洗浄器。
【請求項８】
前記スチーム発生空間と前記噴射洗浄部の噴射位置の間に配置され、前記発熱体の加熱によってスチームが発生する時に前記スチーム発生空間の内部圧力が既定の圧力以上の時に前記噴射洗浄部を開放して外部にスチームを噴射し、前記既定の圧力以下の時に前記噴射洗浄部を密閉する圧力調節部を含む
請求項１に記載のテーブル洗浄器。
【請求項９】
前記圧力調節部は、
前記噴射洗浄部の内部に配置され、前記噴射洗浄部のスチームが噴射される方向に一側が開放され、前記スチーム発生部の方向に他側が密閉された調節空間を有し、側面に前記スチーム発生部で発生したスチームが供給されるように連通する流路連結孔を有し、前記調節空間の密閉された他側中央に前記スチーム発生部と連通して加熱されたスチームが流入されるスチーム流入孔を有し、外周に前記噴射洗浄部と締結される調節締結部を有する調節本体と、
前記調節本体の内部に配置され、前記調節空間の内側に前記スチーム流入孔の一側位置と前記噴射洗浄部のスチーム噴射位置の間で前記スチーム流入孔と前記噴射洗浄部のスチーム噴射位置を開閉するように設置された調節開閉体と、
前記噴射洗浄部と前記調節開閉体の間に配置され、前記調節開閉体に前記スチーム流入孔を密閉させる方向に弾性力を提供するように設置された作動弾性体とを含む
請求項８に記載のテーブル洗浄器。
【発明の詳細な説明】
【技術分野】
【０００１】
本発明は、テーブル洗浄器に関し、詳細には、スチームが発生するように加熱する位置とスチームが噴射される位置とが離隔されて湿気を遮断した状態で噴射されたスチームでテーブルを洗浄することによって、スチームの発生効率が向上されるとともに安全性を向上させるテーブル洗浄器に関する。
【背景技術】
【０００２】
一般に、テーブル洗浄方法は洗剤のような洗浄液を塗布して手作業で洗浄する作業を行っていた。しかし、食べ物を摂取または調理するテーブルは生ごみ、調理時には副産物、摂取時には飛び散る食べ物などによって容易に汚染され、汚染源が有機物であるため長時間空気中に露出されると腐敗とともに有害細菌が増殖される。増殖された有害細菌は食器やユーザの直接接触によって人体に流入されて疾病の原因になる。また、水分を含む食べ物でテーブルが汚染された場合は水分が増発するとともにテーブルにこびりついて除去することが難しかった。そして、通常のテーブル洗浄方法ではテーブルを長期間洗浄しなければ発生する長年こびりついた垢や油で汚染された油汚れを除去することは難しかった。
このような通常のテーブル洗浄方法は多量の洗剤を使用して手作業で数回の洗浄を繰り返し行わなければならず、洗浄による時間が多くかかり洗剤による再汚染が発生する問題点があった。
また、手作業で洗浄するために使用される雑巾のような洗浄体はテーブルの洗浄後に汚染物で汚染された状態で細菌増殖を抑制するための殺菌処理を頻繁に行わなければ細菌が増殖してテーブルを洗浄するとともにテーブルを再汚染させるという問題点があった。
【０００３】
そのため、水を加熱して蒸気形態のスチーム（ｓｔｅａｍ）を噴射して殺菌を同時に行いながらテーブルを洗浄する洗浄器が開発されて使用されている。
しかし、従来の技術のテーブル洗浄器はスチームが噴射される方向に電力が供給されて加熱されて発熱体が備えられているため電力供給位置に湿気が流入されて寿命が短縮し、ショート、漏電の発生によって電気が短絡するか、火災が発生する危険性が増大する問題点があった。
また、従来の技術のテーブル洗浄器は高温のスチームが噴射されながら洗浄と殺菌を行うもので、噴射されるスチームの噴射方向と速度及び噴射量が調節されなければ噴射された高温のスチームがユーザに噴射されて火傷のような負傷を負い、スチームとともに高温の水が噴射されるため乾燥に時間が多くかかる問題点があった。
【発明の概要】
【発明が解決しようとする課題】
【０００４】
本発明は、前記問題点を改善するために発明されたものであり、スチームが発生するように加熱する位置とスチームが噴射される位置とが離隔されて湿気を遮断した状態で噴射されたスチームでテーブルを洗浄することによって、スチームの発生効率が向上されるとともに安全性を向上させるテーブル洗浄器を提供することを課題とする。
なお、本発明の技術的課題は上述したものに制限されるものではなく、言及されていない他の技術的課題は以下の記載から当業者に明確に理解される。
【課題を解決するための手段】
【０００５】
上記課題を達成するために、本発明の一実施形態によるテーブル洗浄器は、本体ケース、前記本体ケースの上部に配置され、外部から供給される電力が蓄積される蓄電池、前記本体ケースの内部に配置され、前記蓄電池と離隔された下部を介して注入された水を前記蓄電池から供給された電力で加熱してスチームを発生させて供給するスチーム発生部、及び前記本体ケースの下部に配置され、前記スチーム発生部で発生したスチームを下方に噴射させてテーブル面を洗浄する噴射洗浄部を含むことを特徴とする。
【０００６】
また、前記スチーム発生部は、前記本体ケースの内部に配置され、下部が開放されたスチーム発生空間を有するスチーム発生本体、前記スチーム発生本体の上部に配置され、前記蓄電池から供給された電力で熱を発生させて前記スチーム発生本体の内部にスチームを発生させる発熱体、前記スチーム発生本体の上部に配置され、前記スチーム発生空間に連通して前記スチーム発生空間で発生したスチームを前記噴射洗浄部に供給するスチームバルブ、前記スチーム発生本体の下部に結合され下部が開放された前記スチーム発生空間を密閉させ、中央に水が注入される水注入孔を有するように突出した水注入体が備えられ、前記水注入孔の内側に前記噴射洗浄部が締結される注入締結部が形成され、前記スチームバルブから前記スチーム発生本体の一側を介して注入されるスチームが前記水注入孔に供給されるように内部に前記水注入孔と連通するスチーム注入流路が形成されたスチーム注入体が備えられたスチーム密閉本体、及び前記スチーム密閉本体の一側に配置され、一端はスチーム供給管を介して前記スチームバルブと連結され、他端は前記スチーム注入流路と連結されて前記スチームバルブから注入されたスチームを前記噴射洗浄部に供給するスチーム連結体を含み得ることを特徴とする。
【０００７】
そして、前記スチーム発生部は、前記スチーム発生本体の外周に複数位置にそれぞれ突出配置され、内部に通孔形態の発生締結孔を有する発生締結突起、前記スチーム密閉本体の複数位置に上方に突出されており、前記発生締結突起と締結される位置に互いに接触されるように突出設置された密閉締結突起、及び前記発生締結孔に挿入されて前記発生締結突起と前記密閉締結突起を締結して前記スチーム発生本体と前記スチーム密閉本体を結合させる密閉締結体をさらに含み得ることを特徴とする。
【０００８】
また、前記スチーム発生部は、前記スチーム発生本体の下部内側面には前記スチーム密閉本体が締結される発生締結部が形成されることができ、前記スチーム密閉本体の外周には前記発生締結部と締結される密閉締結部が形成されることができるので前記スチーム発生本体と前記スチーム密閉本体を結合させ得ることを特徴とする。
【０００９】
さらに、前記噴射洗浄部は、前記スチーム発生部の下部に配置され、中央に水が注入され外側面に前記スチーム発生部と締結される噴射締結部が形成され、前記スチーム発生部と連結される側面から貫通されて下方にスチームを供給する噴射流路が形成された噴射本体、前記噴射本体の下部に配置され、中央に前記噴射流路と連通するように貫通されてスチームが噴射される噴射孔が形成され、下部面に洗浄溝が形成された洗浄本体、及び前記洗浄本体の下部面に配置され、前記洗浄溝に挿入されて前記テーブル面と接触する洗浄体を含むことができ、前記噴射本体は前記スチーム発生部との締結が解除されると前記本体ケースから分離されて前記スチーム発生部に水を注入し、注入を終えた後、前記噴射締結部で前記スチーム発生部に締結した状態で前記スチーム発生部で発生したスチームが前記噴射流路を介して前記噴射孔に噴射させ得ることを特徴とする。
【００１０】
また、前記スチーム密閉本体と前記噴射本体は一体をなすことができることを特徴とする。
【００１１】
そして、前記本体ケースの下部が載置されるか、前記蓄電池が結合されて充電されるスタンド充電部をさらに備えることができることを特徴とする。
【００１２】
また、前記蓄電池の上部中央には電力を供給するように前記スタンド充電部が挿入連結される充電接続溝が形成されることができ、前記スタンド充電部は、前記本体ケースの一側に配置され、内部に前記本体ケースが載置されるスタンド空間が形成され、前記スタンド空間の上方に前記噴射洗浄部が掛止される掛止顎部が形成されたスタンド本体、前記スタンド本体の内部中央に上方に突出されており、前記スタンド空間の中央に上方に位置して前記本体ケースを前記蓄電池が下方を向くように逆さにした状態で前記充電接続溝に挿入されて充電するように突出された充電突起、及び前記スタンド本体の一側に配置され、外部操作によって前記充電突起への電力供給を制御するようにオンオフされる電力供給スイッチを含むことができ、前記スタンド本体は前記本体ケースの使用中の載置時に前記噴射洗浄部が前記掛止顎部に掛止された状態を維持し、充電時には前記本体ケースを逆さにして前記スタンド空間に挿入して前記充電器が前記充電突起に挿入支持されて充電され得ることを特徴とする。
【００１３】
さらに、前記スチーム発生空間と前記噴射洗浄部の噴射位置の間に配置され、前記発熱体の加熱によってスチームが発生する時に前記スチーム発生空間の内部圧力が既定の圧力以上の時は前記噴射洗浄部を開放して外部にスチームを噴射し、前記既定の圧力以下の時は前記噴射洗浄部を密閉する圧力調節部をさらに含み得ることを特徴とする。
【００１４】
また、前記圧力調節部は、前記噴射洗浄部の内部に配置され、前記噴射洗浄部のスチームが噴射される方向に一側が開放され、前記スチーム発生部の方向に他側が密閉された調節空間を有し、側面に前記スチーム発生部で発生したスチームが供給されるように連通する流路連結孔を有し、前記調節空間の密閉された他側中央に前記スチーム発生部と連通して加熱されたスチームが流入されるスチーム流入孔を有し、外周に前記噴射洗浄部と締結される調節締結部を有する調節本体、前記調節本体の内部に配置され、前記調節空間の内側に前記スチーム流入孔の一側位置と前記噴射洗浄部のスチーム噴射位置の間で前記スチーム流入孔と前記噴射洗浄部のスチーム噴射位置を開閉するように設置された調節開閉体、及び前記噴射洗浄部と前記調節開閉体の間に配置され、前記調節開閉体に前記スチーム流入孔を密閉させる方向に弾性力を提供するように設置された作動弾性体を含み得ることを特徴とする。
【００１５】
なお、その他の実施形態の具体的な事項は詳細な説明及び図面に含まれている。
【発明の効果】
【００１６】
本発明の一実施形態によるテーブル洗浄器は、スチームが発生するように加熱する位置とスチームが噴射される位置とが離隔されて湿気を遮断した状態で噴射されたスチームでテーブルを洗浄することによって、電力供給位置への湿気の流入が防止されて湿気の接触による寿命短縮、ショート、及び漏電による火災発生及び停電形状を未然に防止して寿命が延長され、安全性が向上する効果を提供する。
【００１７】
また、テーブル洗浄器のスチーム及び水が供給される位置と電力の供給及び加熱する位置が互いに離隔された位置にそれぞれ設置されているため互いに異なる方向から水の供給と電力供給が行われることによって物理的に方向を切り替えながらスチームの発生とスチームの噴射をそれぞれ行うことによって效果的に水を注入することができ、方向を切り替えて密閉された状態で効果的にスチームを発生させることができる。
【００１８】
そして、テーブル洗浄器はスチーム発生のための充電時とスチーム噴射使用中の載置時にそれぞれ逆さにした状態でそれぞれスタンド手段に設置されてユーザが容易に充電中であるかまたは載置中であるかを判断できるので使用便宜性が向上する効果を提供する。
【００１９】
また、テーブル洗浄器のスチームを発生した状態でスチームバルブを介して圧力を調節した状態で噴射供給させながら洗浄体でテーブルを洗浄ｓする時に高温スチームの噴射範囲を一定に維持することによって、圧力の超過によるスチーム飛散による火傷を防止して安全性を増大させ、圧力不足によって洗浄及び殺菌効率が低下することが防止される効果を提供する。
【００２０】
さらに、テーブル洗浄器のスチームが噴射される位置に噴射されるスチーム圧力を調節する圧力調節部を備えてスチームバルブとともに二重に圧力を制御することによって、高温スチームの噴射範囲を一定に維持することによって圧力の超過によるスチーム飛散による画像を防止して安全性を増大させる効果を提供する。
【００２１】
なお、本発明の効果は上述した効果に制限されるものではなく、言及されていない他の効果は請求範囲の記載から当業者に明確に理解される。
【図面の簡単な説明】
【００２２】
【図１】本発明の一実施形態によるテーブル洗浄器を示す斜視図
【図２】図１のテーブル洗浄器を示す正面図
【図３】図１のテーブル洗浄器の主要部分を示す分解斜視図
【図４】図１のテーブル洗浄器の主要部分を示す断面図
【図５】図１のテーブル洗浄器の載置前の分離された状態を示す使用状態図
【図６】図１のテーブル洗浄器の充電状態を示す使用状態図
【図７】図１のテーブル洗浄器の充電分離状態を示す使用状態図
【図８】図１のテーブル洗浄器の充電状態を示す正面図
【図９】図１のテーブル洗浄器の主要部分を示す一部分解斜視図
【図１０】図９のテーブル洗浄器の主要部分に対する断面斜視図
【図１１】本発明の他の実施形態によるテーブル洗浄器を示す断面図
【図１２】本発明のさらに他の実施形態によるテーブル洗浄器を示す断面図
【発明を実施するための形態】
【００２３】
以下、当業者が本発明を容易に実施できる程度まで本発明の好ましい実施形態を添付の図面を参照して詳しく説明する。
実施形態を説明するにあたり、本発明の属する技術分野において十分知られているもので本発明と直接的に関連のない技術内容については説明を省略する。これは不要な説明を省略することで本発明の要旨を不明にすることなくより明確に伝達するためである。
同じ理由で添付図面において一部の構成要素は誇張または省略されるか概略的に図示している。また、各構成要素の大きさは実際の大きさを全面的に反映するものではない。各図において同じであるか又は対応する構成要素には同じ符号を付している。
【００２４】
以下、本発明の一実施形態によるテーブル洗浄器を図１ないし１０を参照して述べる。
図１は本発明の一実施形態によるテーブル洗浄器を示す斜視図で、図２は図１のテーブル洗浄器を示す正面図で、図３は図１のテーブル洗浄器の主要部分を示す分解斜視図で、図４は図１のテーブル洗浄器の主要部分を示す断面図で、図５は図１のテーブル洗浄器の載置前の分離された状態を示す使用状態図で、図６は図１のテーブル洗浄器の充電状態を示す使用状態図で、図７は図１のテーブル洗浄器の充電分離状態を示す使用状態図で、図８は図１のテーブル洗浄器の充電状態を示す正面図で、図９は図１のテーブル洗浄器の主要部分を示す一部分解斜視図で、図１０は図９のテーブル洗浄器の主要部分に対する断面斜視図である。
【００２５】
図１ないし１０を参照すると、本発明の一実施形態によるテーブル洗浄器１００は本体部１１０、スチーム発生部１２０、噴射洗浄部１３０、スタンド充電部１４０及び圧力調節部１５０を含む。本体部１１０はテーブル洗浄器１００のそれぞれの部品が装着される本体ケース１１１、蓄電池１１３、及び本体ハンドル１１５を含む。本体ケース１１１は下端の開口部１１２が形成されてスチーム発生部１２０、噴射洗浄部１３０がそれぞれ開口部１１２を介して内部及び下部に設置されたケース形態で備えられる。
【００２６】
蓄電池１１３は本体ケース１１１の上部に配置され、外部から印加された電力を蓄電した状態で保管しておいてスチーム発生部１２にスチームを発生させるように電力を供給するように設置される。蓄電池１１３は供給された電力を蓄電した状態で携帯状態で移動しながら電力をスチーム発生部１２０に供給してスチームが発生するように設置される。
蓄電池１１３の上部中央には電力を供給するようにスタンド充電部１４０に挿入連結される溝状の充電接続溝１１４が形成されている。充電接続溝１１４はスタンド充電部１４０に挿入されて蓄電池１１３に電力を供給するように溝状で備えられている。
【００２７】
本体ハンドル１１５は本体ケース１１１の一側面に固定され、本体ケース１１１の一側面でユーザが把持するようにハンドル形態で備えられている。本体ハンドル１１５はスチームの発生によって加熱される本体ケース１１１をユーザが容易に把持した状態でテーブルの洗浄を行うように一側面に設置されている。
スチーム発生部１２０は本体ケース１１１の内部でスチームが発生するスチーム発生本体１２１、発熱体１２３、スチームバルブ１２４、スチーム密閉本体１２５、密閉締結体１２６、スチーム連結体１２７、及びスチーム供給管１２８を含む。
【００２８】
スチーム発生本体１２１は本体ケース１１１の内部に配置され、発熱体１２３の熱によってスチームが発生するように備えられる。スチーム発生本体１２１の内部には下部が開放されたスチーム発生空間１２２が形成されている。スチーム発生空間１２２の開放された下部には下部に設置されるスチーム密閉本体１２５でスチーム発生空間１２２を密閉させてスチームが発生するように備えられる。
スチーム発生本体１２１の外周には複数位置から外側方向へ突出するように備えられ、内部に通孔形態の発生締結孔１２１ｂを有する発生締結突起１２１ａが形成される。発生締結孔１２１ｂはスチーム密閉本体１２５でスチーム発生空間１２２を密閉する時に締結される密閉締結体１２６が挿入されるように備えられスチーム発生本体１２１とスチーム密閉本体１２５が互いに締結固定されるように形成される。
【００２９】
発熱体１２３はスチーム発生本体１２１の上部に配置され、蓄電池１１３に連結されて供給された電力によって発生した熱でスチーム発生本体１２１の内部にスチームを発生させるように設置される。発熱体１２３はスチーム発生本体１２１の上部に設置されて連結された蓄電池１１３から電力を供給されて熱を発生させるように設置され、発生した熱によってスチーム発生空間１２２に収容された水がスチームになるように加熱する。本明細書で発熱体１２３はコイルの形態で備えられているが、これは詳細な説明に関するものである。すなわち、発熱体１２３は電力を供給されて熱を発生させる全ての手段が含まれ得ることは当業者に自明である。発熱体１２３は本体ケース１１１の上部に蓄電池１１３と隣接するように配置されて電力供給効率が向上し、水が注入されるスチーム密閉本体１２５とスチームが噴射される噴射洗浄部１３０が設置された下部と離隔された上部位置に蓄電池１１３から供給された電力で熱を発生させる発熱体１２３が設置されていることによって電力供給と熱発生位置に湿気が流入されることが防止されて電力と湿気の接触によるショート、漏電、及び放電などを防止することによって、安全性が向上し、寿命を増大させる。
【００３０】
スチームバルブ１２４はスチーム発生本体１２１の上部一側に配置され、スチーム発生空間１２２の上部一側に連通する位置に発生したスチームの圧力を制御しながら噴射洗浄部１３０に供給するように設置される。
スチームバルブ１２４はスチーム発生本体１２１から噴射洗浄部１３０にスチームを供給する上部一側に配置され、スチーム発生空間１２２に連通して内部で発生したスチームの圧力を制御するように設置される。スチーム発生空間１２２の内部で発生するスチームは制御されていない状態で過圧によって噴射されると噴射洗浄部１３０に噴射されるスチームが高い圧力でユーザが予想できない広さと強度で飛散噴射されることによって高温のスチームによる火傷の危険性が増大し、制御されていない状態で低圧で噴射されるとスチームと共に高温の水が共に噴射されて洗浄効率が低下するため、安全性が向上するとともに洗浄効率が向上する定圧雰囲気のスチームを噴射させるためにスチームバルブ１２４が設置される。すなわち、スチーム発生本体１２１で発生するスチームの圧力をスチームバルブ１２４で調節して洗浄が可能な圧力のスチームが噴射されるように供給させることで供給効率を向上させることができる。
【００３１】
スチーム密閉本体１２５はスチーム発生本体１２１の下部に配置され、下部が開放されたスチーム発生空間１２２を密閉させるように設置される。スチーム密閉本体１２５の中央にはスチーム発生空間１２２を水が注入されるように貫通する水注入孔１２５ｂが形成されるように突出された水注入体１２５ａが備えられる。水注入孔１２５ｂはスチーム発生本体１２１の上部に電力が蓄電されて供給される蓄電池１１３と離隔された下部面の中央にスチーム発生空間１２２に水が注入される通孔の形態で形成される。すなわち、水が注入される水注入孔１２５ｂをスチーム発生本体１２１の下部に形成して水注入時に蓄電池１１３に湿気が流入されることを防止することによって蓄電池１１３の寿命を増大させ、蓄電池１１３に湿気が流入されることによるショートと漏電を防止できる。
【００３２】
水注入孔１２５ｂの内側面には噴射洗浄部１３０と締結される注入締結部１２５ｃが形成されている。水注入孔１２５ｂは注入締結部１２５ｃに噴射洗浄部１３０が締結されると密閉され、噴射洗浄部１３０の締結が解除されるとスチーム発生空間１２２の内部に水が注入されるように開放される。すなわち、本体ケース１１１の内部に設置されたスチーム発生本体１２１はスチーム発生空間１２２に水を注入する時に水注入孔１２５ｂで噴射洗浄部１３０との締結を解除すると水注入孔１２５ｂが開放される。水注入孔１２５ｂが開放された後、水注入孔１２５ｂが上方に位置するように逆さにした状態で水を注入し、水の注入を終えた後、注入締結部１２５ｃに噴射洗浄部１３０を締結して密閉させた状態で発熱体１２３を用いて加熱によってスチームを発生するように設置される。
【００３３】
スチーム密閉本体１２５の一側から中央方向に突出されており、スチームバルブ１２４からスチーム発生本体１２１の一側を介して注入されるスチームが水注入孔１２５ｂに供給されるように内部に水注入孔１２５ｂと連通するスチーム注入流路１２５ｅが形成されたスチーム注入体１２５ｄが備えられる。
スチーム密閉本体１２５の複数位置には発生締結突起１２１ａと締結される位置に互いに接触されるように突出設置された密閉締結突起１２５ｆが備えられる。
【００３４】
スチーム発生本体１２１の外周には発生締結孔１２１ｂに挿入されて発生締結突起１２１ａと密閉締結突起１２５ｆを締結してスチーム発生本体１２１とスチーム密閉本体１２５を結合させる密閉締結体１２６が備えられる。
スチーム連結体１２７はスチーム密閉本体１２５の一側に配置され、一端はスチーム供給管１２８を介してスチームバルブ１２４と連結され、他端はスチーム注入流路１２５ｅと連結されてスチームバルブ１２４から注入されるスチームを噴射洗浄部１３０に供給するように設置される。
スチーム供給管１２８はスチームバルブ１２４とスチーム連結体１２７を連結し、スチーム発生本体１２１で発生したスチームをスチームバルブ１２４を経て噴射洗浄部１３０に供給されるスチーム連結体１２７に供給するように設置される。スチーム供給管１２８はスチーム発生本体１２１で発生したスチームをスチームバルブ１２４を通過して圧力が調節された状態で噴射洗浄部１３０に供給するように連結している。
【００３５】
噴射洗浄部１３０はスチーム発生本体１２１の下部に開閉されるように設置された噴射本体１３１、洗浄本体１３４、及び洗浄体１３７を含む。噴射本体１３１はスチーム密閉本体１２５の中央の下部に配置され、スチームを下方に供給するようにスチーム密閉本体１２５の水注入孔１２５ｂを開閉させるように設置される。
噴射本体１３１の外側面には注入締結部１２５ｃと締結される噴射締結部１３２が形成される。
噴射本体１３１の内部には側面から内部を介して下方に貫通されて下方にスチームを供給する噴射流路１３３が形成されている。噴射流路１３３は貫通された側面にスチーム注入流路１２５ｅと連結された供給されたスチームを内部を介して下方に噴射される流路の形態で形成されている。噴射流路１３３は噴射本体１３１が水注入孔１２５ｂの内側に締結された状態でスチーム発生空間１２２で発生したスチームがスチーム注入流路１２５ｅを介して供給されて噴射本体１３１の下部に供給されるように形成されている。
【００３６】
洗浄本体１３４は噴射本体１３１の下部に配置され、洗浄面積が拡大されるように噴射本体１３１より大きいサイズの平板の形態で備えられる。洗浄本体１３４は本体ケース１１１の下部に位置して噴射本体１３１の下部に設置される。洗浄本体１３４の中央には噴射流路１３３の下部に連通するように貫通された噴射孔１３５が形成されている。噴射孔１３５は噴射流路１３３を介して噴射されるスチームが洗浄されるテーブルに直接噴射されるように貫通形成されている。洗浄本体１３４の下部面には洗浄されるテーブルと接触される位置に複数の溝状に洗浄溝１３６が形成されている。洗浄溝１３６はテーブルを洗浄する洗浄体１３７が挿入設置されるように形成されている。
すなわち、噴射本体１３１は水注入孔１２５ｂとの締結が解除されると本体ケース１１１から分離されてスチーム発生本体１２１に水を注入し、注入を終えた後、注入締結部１２５ｃと噴射締結部１３２の締結でスチーム発生本体１２１を密閉させた状態で発熱体１２３で加熱してスチームが発生するとスチームバルブ１２４を経てスチームの圧力を制御しながらスチーム注入流路１２５ｅを介して供給されたスチームが噴射流路１３３を通過して噴射孔１３５からテーブルに直接噴射できる。
【００３７】
洗浄体１３７は洗浄本体１３４の下部面に配置され、洗浄溝１３６に挿入位置してテーブルと接触しながら洗浄を行うように設置される。洗浄体１３７は通常のテーブルを洗浄する雑巾、吸収紙などのような湿気を除去する繊維質の洗浄体１３７を使用することが好ましい。洗浄体１３７は直接噴射されたスチームによって洗浄されたテーブルと接触した状態で移動しながら湿気を除去できる。
【００３８】
スタンド充電部１４０は本体ケース１１１の一側に配置されたスタンド本体１４１、充電突起１４４、電力供給スイッチ１４５、及び電力供給線１４６を含む。スタンド本体１４１は本体ケース１１１の一側に配置され、本体ケース１１１と噴射洗浄部１３０が載置された状態で保管され、本体ケース１１１の載置時に充電されるように設置される。スタンド本体１４１の内部には本体ケース１１１と噴射洗浄部１３０が載置されるスタンド空間１４２が形成されている。スタンド空間１４２はテーブル洗浄器１００の使用後の載置時に噴射洗浄部１３０が挿入載置され、充電時には本体ケース１１１を逆さにした状態で蓄電池１１３が挿入されるように形成される。
【００３９】
スタンド本体１４１の内部にはスタンド空間１４２の上方に噴射洗浄部１３０の載置時に掛止される掛止顎部１４３が形成されている。掛止顎部１４３はテーブル洗浄器１００の使用時に洗浄を行う噴射洗浄部１３０が掛止されて載置状態を維持するようにスタンド本体１４１の内部に形成されている。
充電突起１４４はスタンド本体１４１の内部中央に上方に突出されており、スタンド空間１４２の中央に上方に位置して本体ケース１１１を蓄電池１１３が下方を向くように逆さにした状態で充電接続溝１１４に挿入されて充電するように突出される。充電突起１４４は電力供給スイッチ１４５と電力供給線１４６に連結された状態で充電接続溝１１４に挿入されて蓄電池１１３に電力を供給するように設置される。
すなわち、スタンド本体１４１は本体ケース１１１の使用中の載置時には噴射洗浄部１３０が掛止顎部１４３に掛止された状態を維持し、充電時には本体ケース１１１を逆さにしてスタンド空間１４２に挿入して蓄電池１１３が充電突起１４４に挿入支持されて充電されることができるように設置される。
【００４０】
電力供給スイッチ１４５はスタンド本体１４１の一側に配置され、外部の操作によって充電突起１４４に電力の供給を制御するようにオンオフ作動が行われるように設置される。電力供給スイッチ１４５はスタンド本体１４１の一側に設置されてユーザがオンオフ操作を行って蓄電池１１３に電力供給を制御することによって、充電状態を操作できる。
電力供給線１４６はスタンド本体１４１の一側に配置され、充電突起１４４と電力が供給される供給源（図示せず）を互いに接続して電力を供給するように設置される。電力供給線１４６は外部の電力が供給される供給源と充電突起１４４を接続して挿入される蓄電池１１３に電力が供給されるように設置されている。
【００４１】
圧力調節部１５０は噴射本体１３１のスチーム発生空間１２２の方向に設置された調節本体１５１、調節開閉体１５６、作動弾性体１５７、及び噴射開閉体１５８を含む。
調節本体１５１は噴射本体１３１のスチーム発生空間１２２の方向に内側に配置され、スチームが噴射される位置に設置される。調節本体１５１の内側には洗浄本体１３４の噴射孔１３５の方向に開放され、スチーム発生本体１２１のスチーム発生空間１２２の方向が密閉された調節空間１５２が形成される。調節本体１５１の側面方向には噴射流路１３３と連結される位置に調節空間１５２と連通する流路連結孔１５３が形成される。流路連結孔１５３はスチーム発生空間１２２で発生したスチームが供給される噴射流路１３３と連結され噴射孔１３５にスチームが噴射されるように形成される。調節空間１５２の密閉されたスチーム発生空間１２２の方向には中央にスチーム発生空間１２２と調節空間１５２が互いに連通してスチーム発生空間１２２で発生したスチームが調節空間１５２に流入されるようにスチーム流入孔１５４を形成する。調節本体１５１の外周には噴射本体１３１に締結される調節締結部１５５が形成される。調節締結部１５５は調節本体１５１が噴射本体１３１に対して締結及び分離され得るようにねじの形態で備えられる。
【００４２】
調節開閉体１５６は調節本体１５１の内部に配置され、調節空間１５２の内側にスチーム流入孔１５４の下部と噴射孔１３５の上部の間でスチーム流入孔１５４と噴射孔１３５を開閉するように設置される。調節開閉体１５６はスチーム流入孔１５４を密閉させる状態を維持し、既定の圧力以上過圧されると下降されてスチーム流入孔１５４を開放させるとともに噴射孔１３５を密閉して過圧されたスチームが噴射孔１３５に噴射されることが防止されるとともに圧力を下げるように排出することができる。
作動弾性体１５７は噴射流路１３３の噴射孔１３５上部と調節開閉体１５６下部の間に配置され、調節開閉体１５６でスチーム流入孔１５４を密閉させる方向に弾性力が提供されるように設置される。作動弾性体１５７は調節開閉体１５６がスチーム流入孔１５４を密閉する弾性力を提供するように設置されてスチームの使用時及び発生時には調節開閉体１５６の密閉状態が維持される。
【００４３】
発熱体１２３の持続的な作動によってスチームが発生することによりスチーム流入孔１５４を介して流入されるスチームが調節開閉体１５６が下降されるように加圧させる。スチームで発生する圧力が既定の圧力以上過圧されて作動弾性体１５７の弾性力より増大すると調節開閉体１５６がスチーム圧力によって下降されるとともにスチーム流入孔１５４が開放されて圧力を下げることができ、過圧による爆発やスチームの漏水を防止することができるので安全性が向上する。
また、調節開閉体１５６が下降されるとともに噴射孔１３５を密閉させて圧力を下げるために排出される過圧のスチームが噴射孔１３５側に噴射されることが防止されることによって、過圧されたスチームの噴射によるユーザの負傷が発生することを防止できる。
【００４４】
図１１は、本発明の他の実施形態によるテーブル洗浄器を示す断面図である。
図１１を参照すると、本発明の他の実施形態によるテーブル洗浄器１００は本体部１１０、スチーム発生部１２０、噴射洗浄部１３０、スタンド充電部１４０、及び圧力調節部１５０を含む。ここで、本発明の他の実施形態によるテーブル洗浄器１００は図１ないし１０で示したテーブル洗浄器１００と一部の構成が同一であるので異なる構成のみを説明する。
【００４５】
スチーム発生本体１２１の下部内側にはスチーム発生空間１２２の下部内側面にスチーム密閉本体１２５でスチーム発生空間１２２の下部を密閉させる位置に発生締結部１２１ｃを形成し、スチーム密閉本体１２５の外周にはスチーム発生本体１２１の下部内側にスチーム発生締結部１２１ｃと締結される密閉締結部１２５ｇを形成してユーザの操作によって発生締結部１２１ｃに密閉締結部１２５ｇを締結するか、または締結解除を行うことで、スチーム密閉本体１２５をスチーム発生本体１２１に固定するか、または固定を解除できるように備えられる。
すなわち、スチーム発生本体１２１とスチーム密閉本体１２５を締結するにあたり締結部分に発生締結部１２１ｃと密閉締結部１２５ｇをそれぞれ形成して直接締結ができるように備えられる。
【００４６】
図１２は、本発明のさらに他の実施形態によるテーブル洗浄器を示す断面図である。
図１２を参照すると、本発明のさらに他の実施形態によるテーブル洗浄器１００は本体部１１０、スチーム発生部１２０、噴射洗浄部１３０、スタンド充電部１４０、及び圧力調節部１５０を含む。ここで、本発明のさらに他の実施形態によるテーブル洗浄器１００は図１ないし１１で示したテーブル洗浄器１００と一部の構成が同一であるので異なる構成のみを説明する。
【００４７】
スチーム発生本体１２１に発生締結部１２１ｃを形成し、スチーム密閉本体１２５に密閉締結部１２５ｇを形成して締結によってスチーム発生空間１２２の下部を密閉させるように備えられる。
スチーム密閉本体１２５の中央には噴射本体１３１が一体に備えられてスチーム密閉本体１２５と噴射本体１３１の部品を単純化して製作コストが縮小されて生産コストを低減できる。また、スチーム密閉本体１２５をスチーム発生本体１２１との締結を解除した状態でスチーム発生空間１２２を開放して水を注入することによって洗浄が便利で、スチーム発生後に残存した水を除去して残存した水によって内部が汚染されることを防止できる。
【００４８】
本明細書と図面には本発明の好ましい実施形態について開示し、特定の用語が用いられたが、これは本発明の技術内容を容易に説明して発明の理解を助けるための一般的な意味として用いられたものであって、本発明の範囲を限定することを意図するものではない。ここに開示された実施形態の他にも本発明の技術的思想に基づく他の変形例が実施可能である。
【産業上の利用可能性】
【００４９】
本発明のテーブル洗浄器によると、テーブル洗浄器に関し、テーブルを洗浄、殺菌、乾燥するために噴射されるスチームの発生する位置と使用時にスチームが噴射される位置とが離隔されて他の方向から噴射されることによって加熱及び充電部分にスチームの流入を遮断し、二重のスチーム制御構造を有するため安全性を向上させることができる。
【符号の説明】
【００５０】
１００：テーブル洗浄器
１１０：本体部
１１１：本体ケース
１１２：開口部
１１３：蓄電池
１１４：充電接続溝
１１５：本体ハンドル
１２０：スチーム発生部
１２１：スチーム発生本体
１２１ａ：発生締結突起
１２１ｂ：発生締結孔
１２１ｃ：発生締結部
１２２：スチーム発生空間
１２３：発熱体
１２４：スチームバルブ
１２５：スチーム密閉本体
１２５ａ：水注入体
１２５ｂ：水注入孔
１２５ｃ：注入締結部
１２５ｄ：スチーム注入体
１２５ｅ：スチーム注入流路
１２５ｆ：密閉締結突起
１２５ｇ：密閉締結部
１２６：密閉締結体
１２７：スチーム連結体
１２８：スチーム供給管
１３０：噴射洗浄部
１３１：噴射本体
１３２：噴射締結部
１３３：噴射流路
１３４：洗浄本体
１３５：噴射孔
１３６：洗浄溝
１３７：洗浄体
１４０：スタンド充電部
１４１：スタンド本体
１４２：スタンド空間
１４３：掛止顎部
１４４：充電突起
１４５：電力供給スイッチ
１４６：電力供給線
１５０：圧力調節部
１５１：調節本体
１５２：調節空間
１５３：流路連結孔
１５４：スチーム流入孔
１５５：調節締結部
１５６：調節開閉体
１５７：作動弾性体
【図１】
0005734463.tif 000002
【図２】
0005734463.tif 000003
【図３】
0005734463.tif 000004
【図４】
0005734463.tif 000005
【図５】
0005734463.tif 000006
【図６】
0005734463.tif 000007
【図７】
0005734463.tif 000008
【図８】
0005734463.tif 000009
【図９】
0005734463.tif 000010
【図１０】
0005734463.tif 000011
【図１１】
0005734463.tif 000012
【図１２】
0005734463.tif 000013